(57)【要約】      （修正有）【課題】洗浄水の水勢が弱い場合においても、使用者の洗浄感を向上させる人体局部洗浄装置を提供する。【解決手段】洗浄水Ｗを噴出穴４２から噴出させることにより人体局部を洗浄するおしりノズル２０ｋ１、２０ｋ２と、洗浄水Ｗをおしりノズルに供給する給水路に配設され、給水路の流路抵抗である第一流路抵抗を調整することにより、おしりノズルに供給される洗浄水Ｗの圧力を調整する圧力調整切替バルブと、を備えている。おしりノズルは、圧力調整切替バルブによって調整された洗浄水Ｗの圧力である調整圧力に応じて噴出穴４２の開口面積を変化させることにより、噴出穴４２の流路抵抗である第二流路抵抗を調整する流路抵抗調整部４３を備え、流路抵抗調整部４３は、第一流路抵抗が大きくなるにしたがって、第二流路抵抗を小さくするように調整する。【選択図】図６
2016176195.tif 000002
【特許請求の範囲】
【請求項１】
水源から供給される洗浄水を噴出穴から噴出させることにより人体局部を洗浄する局部洗浄ノズルと、
前記水源および前記局部洗浄ノズルに接続され、前記洗浄水を前記局部洗浄ノズルに供給する流路である給水路と、
前記給水路に配設され、前記給水路の流路抵抗である第一流路抵抗を調整することにより、前記局部洗浄ノズルに供給される前記洗浄水の圧力を調整する第一流路抵抗調整部と、
前記第一流路抵抗調整部を少なくとも制御する制御部と、を備えた人体局部洗浄装置であって、
前記局部洗浄ノズルは、
前記第一流路抵抗調整部によって調整された前記洗浄水の圧力である調整圧力に応じて前記噴出穴の開口面積を変化させることにより、前記噴出穴の流路抵抗である第二流路抵抗を調整する第二流路抵抗調整部を備え、
前記第二流路抵抗調整部は、前記第一流路抵抗が大きくなるにしたがって、前記第二流路抵抗を小さくするように調整する人体局部洗浄装置。
【請求項２】
前記第二流路抵抗調整部は、前記第一流路抵抗と前記第二流路抵抗との和を所定流路抵抗にするように前記第二流路抵抗を調整する請求項１記載の人体局部洗浄装置。
【請求項３】
前記第二流路抵抗調整部は、
前記給水路から前記洗浄水が供給されるとともに、前記噴出穴と接続する弁室と、
前記弁室内に、前記調整圧力に応じて移動可能に配設された弁体と、
前記弁体を、前記調整圧力に抗して付勢するスプリングと、を備え、
前記第二流路抵抗は、前記調整圧力に応じて前記弁体が移動して、前記噴出穴の前記開口面積を変化させることにより調整される請求項１または請求項２記載の人体局部洗浄装置。
【請求項４】
前記第二流路抵抗調整部は、前記噴出穴における前記洗浄水を導入する導入部に形成された弁座と、前記弁座と前記弁体との間にて前記洗浄水の流量を絞る絞り流路と、をさらに備え、
前記弁体は、前記調整圧力に応じて前記弁座に向けて移動可能に配設され、
前記第二流路抵抗は、前記調整圧力に応じて前記弁体が移動して、前記噴出穴の前記開口面積に相当する前記絞り流路の流路面積を変化させることにより調整される請求項３記載の人体局部洗浄装置。
【請求項５】
前記弁体は、前記弁座と接触した場合に、前記噴出穴と前記弁室内とを連通させて、前記噴出穴を介して前記洗浄水を噴出させる連通穴を有している請求項４記載の人体局部洗浄装置。
【請求項６】
前記スプリングは、変位量が増加した場合に、ばね定数が大きくなる非線形のばね特性を有する請求項３乃至請求項５の何れか一項記載の人体局部洗浄装置。
【発明の詳細な説明】
【技術分野】
【０００１】
本発明は、人体局部洗浄装置に関する。
【背景技術】
【０００２】
人体局部洗浄装置の一形式として、特許文献１に示されているものが知られている。特許文献１の図１に示されているように、人体局部洗浄装置１は、洗浄水を加熱する熱交換ユニット３０、洗浄水を脈動させる脈動バルブ４０、水路を切り替えるとともに洗浄水の流量を調整する水路切替バルブ５０および洗浄水を人体局部に向かって噴出する孔６３，６４，６５を有するノズルユニット６０を備えている。人体局部洗浄装置１は、脈動バルブ４０によって洗浄水を脈動させることにより、使用者に十分な洗浄感を与えている。
【先行技術文献】
【特許文献】
【０００３】
【特許文献１】特開２０１１−６３９８９号公報
【発明の概要】
【発明が解決しようとする課題】
【０００４】
孔から噴出する洗浄水の流速は、洗浄水の流量を孔の開口面積で除算することにより導出される（流速＝流量／開口面積）。特許文献１の人体局部洗浄装置１においては、洗浄水の水勢を弱く（流速を小さく）する場合、洗浄水を噴出する孔の開口面積が固定されていることから、水路切替バルブ５０によって洗浄水の流量を減少させている。洗浄水の流量を減少させた場合、洗浄水を脈動させている場合においても、使用者の洗浄感が低下する。
【０００５】
そこで、本発明は、上述した問題を解消するためになされたもので、人体局部洗浄装置において、洗浄水の水勢が弱い場合においても、使用者の洗浄感を向上させることを目的とする。
【課題を解決するための手段】
【０００６】
上記の課題を解決するため、請求項１に係る人体局部洗浄装置は、水源から供給される洗浄水を噴出穴から噴出させることにより人体局部を洗浄する局部洗浄ノズルと、水源および局部洗浄ノズルに接続され、洗浄水を局部洗浄ノズルに供給する流路である給水路と、給水路に配設され、給水路の流路抵抗である第一流路抵抗を調整することにより、局部洗浄ノズルに供給される洗浄水の圧力を調整する第一流路抵抗調整部と、第一流路抵抗調整部を少なくとも制御する制御部と、を備えた人体局部洗浄装置であって、局部洗浄ノズルは、第一流路抵抗調整部によって調整された洗浄水の圧力である調整圧力に応じて噴出穴の開口面積を変化させることにより、噴出穴の流路抵抗である第二流路抵抗を調整する第二流路抵抗調整部を備え、第二流路抵抗調整部は、第一流路抵抗が大きくなるにしたがって、第二流路抵抗を小さくするように調整する。
【発明の効果】
【０００７】
これによれば、局部洗浄ノズルから噴出される洗浄水の水勢を弱くする際に、局部洗浄ノズルに供給される洗浄水の圧力を低くするように、第一流路抵抗調整部によって第一流路抵抗が大きくなるように調整された場合、第二流路抵抗調整部は、第二流路抵抗を小さくするように調整する。この場合、噴出穴の開口面積は、大きくなるように調整される。このとき、従来技術のように、噴出穴の開口面積が固定されている場合と比べて、洗浄水の流量の減少を抑制しながら、洗浄水の流速を小さくすることができる。よって、洗浄水の水勢が弱い（流速が小さい）場合においても、使用者の洗浄感を向上させることができる。
【図面の簡単な説明】
【０００８】
【図１】本発明の一実施形態に係る人体局部洗浄装置の構成を示す概要図である。
【図２】図１に示す第一流路抵抗調整部の軸方向断面図である。
【図３Ａ】図２に示すIII−III線に沿った第一流路抵抗調整部の断面図であり、筒弁体が原点位置に位置している状態を表している。
【図３Ｂ】図２に示すIII−III線に沿った第一流路抵抗調整部の断面図であり、筒弁体がおしり洗浄範囲内に位置している状態を表している。
【図４】図１に示すおしりノズルの側面図である。
【図５】図４に示すおしりノズルの先端部の部分拡大断面図であり、洗浄水がおしりノズルに供給されていない状態を表している。
【図６】図４に示すおしりノズルの先端部の部分拡大断面図であり、洗浄水がおしりノズルに供給されて、噴出穴から噴出している状態を表している。
【図７】図５に示す軸弁体の移動量とスプリング荷重との第一相関関係を示す図である。
【図８】図５に示す軸弁体の移動量とおしりノズルに供給される洗浄水の調整圧力との第二相関関係を示す図である。
【図９】図５に示す軸弁体の移動量と絞り流路の第二流路面積との第三相関関係を示す図である。
【図１０】図５に示す絞り流路における第二流路面積と第二流路抵抗との第四相関関係を示す図である。
【図１１】図５に示すおしりノズルに供給される洗浄水の調整圧力と絞り流路の第二流路抵抗との第五相関関係を示す図である。
【図１２】図２に示す第一流路抵抗調整部の第一流路抵抗と図５に示す絞り流路の第二流路抵抗との第六相関関係を示す図である。
【図１３】本発明の一実施形態の第一変形例に係る軸弁体の移動量とスプリング荷重の第七相関関係を示す図である。
【図１４】図１３に示す第七相関関係を有するスプリングを用いた場合における第一流路抵抗調整部の第一流路抵抗と絞り流路の第二流路抵抗との第八相関関係を示す図である。
【図１５】本発明の一実施形態の第二変形例に係るおしりノズルの先端部の部分拡大断面図である。
【発明を実施するための形態】
【０００９】
本発明に係る人体局部洗浄装置１の一実施形態について、図面を参照しながら説明する。人体局部洗浄装置１は、洗浄水Ｗを噴出することにより、人体局部を洗浄するものである。人体局部洗浄装置１は、図１に示すように、操作部１０、温水機能部２０、温水機能部２０に回動可能に支持される便座（図示なし）および便蓋（図示なし）を備えている。操作部１０は、人体局部洗浄装置１を遠隔操作するものである。操作部１０は、人体局部洗浄装置１を操作するための複数のスイッチ（図示なし）を備えている。操作部１０は、使用者によってスイッチを操作されることにより、温水機能部２０に所定の制御信号を無線送信する。
【００１０】
温水機能部２０は、分岐水栓２０ａ、ストレーナ２０ｂ、逆止弁２０ｃ、定流量弁２０ｄ、止水電磁弁２０ｅ、リリーフバルブ２０ｆ、温水タンク２０ｇ、ヒータ２０ｈおよび温度センサ２０ｉ、圧力調整切替バルブ２０ｊ（３０）（本発明の第一流路抵抗調整部に相当）、おしりノズル２０ｋ（本発明の局部洗浄ノズルに相当）、ビデノズル２０ｍおよび制御装置２０ｎ（本発明の制御部に相当）を備えている。
【００１１】
また、温水機能部２０は、洗浄水Ｗが流通する第一流路Ｌ１、第二流路Ｌ２、第三流路Ｌ３および第四流路Ｌ４をさらに備えている。第一流路Ｌ１は、分岐水栓２０ａと温水タンク２０ｇとを接続する流路である。第一流路Ｌ１には、分岐水栓２０ａから順に、ストレーナ２０ｂ、逆止弁２０ｃ、定流量弁２０ｄ、止水電磁弁２０ｅおよびリリーフバルブ２０ｆが配設されている。また、第二流路Ｌ２は、温水タンク２０ｇと圧力調整切替バルブ２０ｊとを接続する流路である。第三流路Ｌ３は、圧力調整切替バルブ２０ｊとおしりノズル２０ｋとを接続する流路である。第四流路Ｌ４は、圧力調整切替バルブ２０ｊとビデノズル２０ｍとを接続する流路である。
【００１２】
制御装置２０ｎは、止水電磁弁２０ｅ、ヒータ２０ｈ、温度センサ２０ｉおよび圧力調整切替バルブ２０ｊと、電気的に接続されている。制御装置２０ｎは、操作部１０から無線送信される制御信号に基づいて、温度センサ２０ｉの検出信号から、止水電磁弁２０ｅ、ヒータ２０ｈおよび圧力調整切替バルブ２０ｊに所定の制御信号を送信して温水機能部２０を制御するものである。
【００１３】
分岐水栓２０ａは、水道配管２（本発明の水源に相当）に取り付けられ、水道配管２に流れる上水を洗浄水Ｗとして第一流路Ｌ１に導入するものである。ストレーナ２０ｂは、上水に含まれるゴミ等を除去するものである。逆止弁２０ｃは、分岐水栓２０ａから温水タンク２０ｇへの洗浄水Ｗの流れを許容するが、逆方向の流れを規制するものである。定流量弁２０ｄは、第一流路Ｌ１に流れる洗浄水Ｗの流量を一定に維持するものである。止水電磁弁２０ｅは、制御装置２０ｎからの制御信号により、第一流路Ｌ１を開状態または閉状態にするものである。本実施形態においては、止水電磁弁２０ｅは、通常時（非制御時）に第一流路Ｌ１を閉状態にする。リリーフバルブ２０ｆは、水道配管２から供給された洗浄水Ｗを排出することにより、温水タンク２０ｇおよび各ノズル２０ｋ，２０ｍに供給される洗浄水Ｗの圧力を調節するものである。
【００１４】
温水タンク２０ｇは、内部に洗浄水Ｗを貯留するものである。温水タンク２０ｇは、第一流路Ｌ１と第二流路Ｌ２とを接続する流路を構成する。温水タンク２０ｇは、例えばポリプロピレン等の樹脂材料によって中空の箱状に形成されている。ヒータ２０ｈは、温水タンク２０ｇに貯留された洗浄水Ｗを、制御装置２０ｎから送信される制御信号にしたがって加熱するものである。ヒータ２０ｈは、例えばシーズヒータである。温度センサ２０ｉは、温水タンク２０ｇに貯留された洗浄水Ｗの温度を検出し、検出結果を制御装置２０ｎに送信するものである。
【００１５】
圧力調整切替バルブ３０は、第二流路Ｌ２から供給された洗浄水Ｗを、各流路Ｌ３，Ｌ４に選択的に切り替えて導出するものである。圧力調整切替バルブ３０は、第二流路Ｌ２と各流路Ｌ３，Ｌ４とを接続する流路を構成する。また、圧力調整切替バルブ３０は、各ノズル２０ｋ，２０ｍに供給される洗浄水Ｗの圧力を調整することにより、洗浄水Ｗの水勢を調整する（後述する）。圧力調整切替バルブ３０は、図２乃至図３Ｂに示すように、バルブケース３１、筒弁体３２、第一シール部材３３、第二シール部材３４およびモータ３５を備えている。
【００１６】
バルブケース３１は、一端（図２の左側）を開口する円筒状に形成され、内部に筒弁体３２を軸線３０ａ周りに回動可能に収納するものである。バルブケース３１は、一端をバルブケース３１内部と接続する３つのポート３１ａ〜３１ｃを備えている。第一ポート３１ａは、バルブケース３１の他端（図２の右側）に形成され、一端を第一開口部３１ｄにてバルブケース３１内部と接続され、他端を第二流路Ｌ２に接続されている。第二ポート３１ｂは、図３Ａに示すように、バルブケース３１の側壁から図３Ａの右側に向かって突出し、一端を第二開口部３１ｅにてバルブケース３１内部と接続され、他端を第三流路Ｌ３に接続されている。第三ポート３１ｃは、バルブケース３１の側壁から図３Ａの左側に向かって突出し、一端を第三開口部３１ｆにてバルブケース３１内部と接続され、他端を第四流路Ｌ４に接続されている。
【００１７】
筒弁体３２は、図２に示すように、バルブケース３１の他端側を第一開口部３１ｄに向けて開口する円筒状に形成されている。筒弁体３２の外周面は、バルブケース３１の内周面と液密に周方向に摺動可能に形成されている。筒弁体３２の側壁には、図２乃至図３Ｂに示すように、筒弁体３２内部と第二開口部３１ｅとを連通可能に形成された第一連通穴３２ａ、および、筒弁体３２内部と第三開口部３１ｆとを連通可能に形成された第二連通穴３２ｂが形成されている。このようにバルブケース３１および筒弁体３２を形成することにより、第二流路Ｌ２から供給される洗浄水Ｗは、第一ポート３１ａの第一開口部３１ｄから筒弁体３２内部に供給される。筒弁体３２内部に供給された洗浄水Ｗは、筒弁体３２が回動することにより、第一連通穴３２ａを介して第二開口部３１ｅから第二ポート３１ｂさらに第三流路Ｌ３に導出される。また、筒弁体３２内部に供給された洗浄水Ｗは、同様に、第二連通穴３２ｂを介して第三開口部３１ｆから第三ポート３１ｃさらに第四流路Ｌ４に導出される。
【００１８】
筒弁体３２が図２および図３Ａに示す原点位置ＨＰに位置する場合、筒弁体３２内部と、各開口部３１ｅ，３１ｆとが、各連通穴３２ａ，３２ｂを介して連通される。また、筒弁体３２は、原点位置ＨＰから図３Ｂに矢印にて示す時計周りＣＷに回動することにより、おしり洗浄回動範囲内に位置する。おしり洗浄回動範囲は、筒弁体３２の回動可能な範囲のうち、おしりノズル２０ｋのみから洗浄水Ｗが噴出する範囲である。具体的には、おしり洗浄回動範囲は、筒弁体３２内部と第二開口部３１ｅとが第一連通穴３２ａを介して連通され、かつ、筒弁体３２内部と第三開口部３１ｆとが遮断される範囲である。
【００１９】
第一連通穴３２ａは、図２に示すように、周方向長さを第二開口部３１ｅの周方向長さより長く、かつ、筒弁体３２の周方向に沿って一方から他方に向かうにしたがって軸線３０ａ方向に沿った長さを短くする三角形状に形成されている。このように第一連通穴３２ａを形成することによって、筒弁体３２の回動角度を調整することで、第一連通穴３２ａが第二開口部３１ｅに対して開口することにより形成される流路の面積である第一流路面積Ａａを調整することができる。具体的には、筒弁体３２が原点位置ＨＰから時計周りＣＷ（図３参照）に回動するにしたがって、第一流路面積Ａａが増加するように調整される。第一流路面積Ａａを調整することで、筒弁体３２内部と第二開口部３１ｅとの間に形成される流路の流路抵抗である第一流路抵抗Ｒａを調整することができる。これにより、第二流路Ｌ２から供給される洗浄水Ｗの圧力（以下、供給圧力Ｐｓとする。）は、第四流路Ｌ４を介しておしりノズル２０ｋに供給される洗浄水Ｗの圧力（以下、調整圧力Ｐａとする。）に調整される。
【００２０】
また、筒弁体３２は、原点位置ＨＰから反時計周りに回動することにより、ビデ洗浄回動範囲内に位置する。ビデ洗浄回動範囲は、筒弁体３２が回動可能な範囲のうち、ビデノズルのみから洗浄水Ｗが噴出する範囲である。具体的には、ビデ洗浄回動範囲は、筒弁体３２内部と第三開口部３１ｆとが第二連通穴３２ｂを介して連通され、かつ、筒弁体３２内部と第二開口部３１ｅとが遮断されるビデ洗浄回動範囲内に位置する。また、第二連通穴３２ｂの形状は、第一連通穴３２ａの形状と同様に形成されている。よって、筒弁体３２がビデ洗浄回動範囲内にて回動することによって、上述したおしりノズル２０ｋの場合と同様に、ビデノズル２０ｍに供給される洗浄水Ｗの圧力が調整される。
また、筒弁体３２には、図２に示すように、周方向に全周に亘って形成された第一環状溝３２ｃおよび第二環状溝３２ｄが形成されている。
【００２１】
第一シール部材３３は、第一環状溝３２ｃに配設され、第一開口部３１ｄから供給される洗浄水Ｗが筒弁体３２の外周面とバルブケース３１の内周面との間から各開口部３１ｅ，３１ｆへ漏れることを防ぐものである。第二シール部材３４は、第二環状溝３２ｄに配設され、各連通穴３２ａ，３２ｂから導出される洗浄水Ｗがバルブケース３１の一端側から外部へ漏れることを防ぐものである。各シール部材３３，３４は、例えばＯリングである。
【００２２】
モータ３５は、制御装置２０ｎから送信される制御指令値に従って、筒弁体３２をバルブケース３１に対して回動させるものである。モータ３５は、例えばステッピングモータである。モータ３５は、出力軸３５ａが筒弁体３２の一端面から窪むように形成された凹部３２ｅに嵌るように、バルブケース３１の一端部に固定されている。
【００２３】
おしりノズル２０ｋは、給水路Ｌｓから供給される洗浄水Ｗを噴出させることにより人体局部を洗浄するものである。給水路Ｌｓは、水道配管２およびおしりノズル２０ｋに接続され、洗浄水Ｗを流通させる流路である。給水路Ｌｓは、第一流路Ｌ１、温水タンク２０ｇ、第二流路Ｌ２、圧力調整切替バルブ３０および第三流路Ｌ３によって構成されている。おしりノズル２０ｋは、図４および図５に示すように、筒部２０ｋ１および先端部２０ｋ２（４０）を備えている。
【００２４】
筒部２０ｋ１は、図４に示すように、第三流路Ｌ３に接続され、内部に洗浄水Ｗを流通させる第五流路Ｌ５を有する筒状に形成されている。筒部２０ｋ１は、第五流路Ｌ５を介して、一端にて第三流路Ｌ３から供給される洗浄水Ｗを導入し、他端から洗浄水Ｗを先端部２０ｋ２に導出する。筒部２０ｋ１の他端部には、図５に示すように、先端部２０ｋ２と嵌合する小径部２０ｋ１ａが形成されている。小径部２０ｋ１ａには周方向に全周に亘って形成された環状溝２０ｋ１ｂが形成されている。環状溝２０ｋ１ｂには、筒部２０ｋ１と先端部２０ｋ２との嵌合部から洗浄水Ｗが漏洩することを防止する第三シール部材２０ｋ３（例えばＯリング）配設されている。
【００２５】
先端部４０は、図５に示すように、先端部材４１、噴出穴４２および流路抵抗調整部４３（本発明の第二流路抵抗調整部に相当）を備えている。先端部材４１は、開口部４１ａおよび第六流路Ｌ６が形成されている。開口部４１ａは、先端部材４１の一端にて筒部２０ｋ１に向かって開口し、筒部２０ｋ１の小径部２０ｋ１ａと嵌合するように形成されている。先端部４０は、開口部４１ａにて小径部２０ｋ１ａと嵌合することにより取り付けられている。先端部４０は、筒部２０ｋ１に取り付けられた状態において、例えばスナップフィット（図示なし）によって固定されている。先端部４０は、筒部２０ｋ１に対して図５の右側に引き抜かれることにより、筒部２０ｋ１から取り外される。
第六流路Ｌ６は、開口部４１ａと噴出穴４２とを接続して、洗浄水Ｗを流通させる流路である。第六流路Ｌ６は、開口部４１ａ側にて第五流路Ｌ５から供給される洗浄水Ｗを導入し、噴出穴４２に洗浄水Ｗを導出する。
【００２６】
噴出穴４２は、洗浄水Ｗを人体局部に向けて噴出するものである。噴出穴４２は、一端を第六流路Ｌ６に接続され、他端をおしりノズル２０ｋの外部に向けて開口する貫通穴である。噴出穴４２は、導入部４２ａおよび整流部４２ｂを備えている。導入部４２ａは、第六流路Ｌ６に接続され、第六流路Ｌ６から洗浄水Ｗを導入するものである。導入部４２ａは、上下方向（図中に矢印にて示す）下端から上端に向かって徐々に内径を小さくするテーパ状に形成されている。整流部４２ｂは、洗浄水Ｗを整流するものである。整流部４２ｂは、断面円状の貫通穴である。
【００２７】
流路抵抗調整部４３は、第六流路Ｌ６に配設され、噴出穴４２の流路抵抗である第二流路抵抗Ｒｂを調整するものである。流路抵抗調整部４３は、具体的には、噴出穴４２の開口面積を調整する。噴出穴４２の開口面積は、噴出穴４２に形成される流路面積のうち最も小さい流路面積である。流路抵抗調整部４３は、第六流路Ｌ６に配設され、弁室４３ａ、弁座４３ｂ、軸弁体４３ｃ（本発明の弁体に相当）、案内部材４３ｄ、およびスプリング４３ｅを備えている。
【００２８】
弁室４３ａは、上下方向に延びる円筒状に形成され、下端にて第六流路Ｌ６と接続し、上端にて噴出穴４２と接続する。弁室４３ａ内には、軸弁体４３ｃ、案内部材４３ｄおよびスプリング４３ｅが収容されている。
【００２９】
弁座４３ｂは、噴出穴４２の導入部４２ａに形成されている。すなわち、弁座４３ｂは、上述したように上下方向に沿って下端から上端に向かって徐々に内径を小さくするテーパ状に形成されている。弁座４３ｂのテーパ角度は、３０°以上、かつ、７０°以下の範囲内に設定されている。本実施形態における弁座４３ｂのテーパ角度は、４５°以上、かつ、６０°以下の範囲内に設定されている。これにより、弁座４３ｂと軸弁体４３ｃとの食い付きを抑制できるとともに、テーパ角度が比較的大きい場合に比べて第二流路抵抗Ｒｂの調整幅（後述する）を大きくすることができる。
【００３０】
軸弁体４３ｃは、調整圧力Ｐａに応じて弁座４３ｂに向けて上下方向に沿って移動可能に配設されている。軸弁体４３ｃは、軸部４３ｃ１、鍔部４３ｃ２、突起部４３ｃ３、弁連通穴４３ｃ４（本発明の連通穴に相当）および貫通穴４３ｃ５を備えている。軸部４３ｃ１は、上下方向に沿って延びる円柱状に形成されている。軸部４３ｃ１の上端部には、球状の曲面部４３ｃ１ａが形成されている。また、軸弁体４３ｃの曲面部４３ｃ１ａと弁座４３ｂとの間には、洗浄水Ｗが流れるときに洗浄水Ｗの流量を絞る絞り流路Ｌｒが形成される。絞り流路Ｌｒの流路面積は、噴出穴４２の流路面積のうち最も小さい流路面積に相当する。すなわち、絞り流路Ｌｒの流路面積は、噴出穴４２の開口面積に相当する。
【００３１】
鍔部４３ｃ２は、軸部４３ｃ１の下端部に、軸部４３ｃ１の全周に亘って径方向外側に向かって突出するように形成されている。鍔部４３ｃ２の外周面は、弁室４３ａの内周面に沿って上下方向に摺動可能に形成されている。突起部４３ｃ３は、鍔部４３ｃ２の下端面から下方向に向かって突出するように形成されている。
【００３２】
弁連通穴４３ｃ４は、軸部４３ｃ１を上下方向に沿って貫通するように形成されている。弁連通穴４３ｃ４は、軸弁体４３ｃと弁座４３ｂとが接触した場合、噴出穴４２と弁室４３ａ内とを連通する。貫通穴４３ｃ５は、鍔部４３ｃ２を上下方向に沿って貫通するように形成されている。貫通穴４３ｃ５は、鍔部４３ｃ２の周方向に沿って均等に複数（例えば３つ）配設されている。
【００３３】
案内部材４３ｄは、軸弁体４３ｃが上下方向に移動する際に、軸弁体４３ｃを案内するものである。案内部材４３ｄは、円板状に形成され、弁室４３ａ内に例えば圧入によって固定されている。案内部材４３ｄは、案内穴４３ｄ１および貫通穴４３ｄ２が形成されている。案内穴４３ｄ１は、軸弁体４３ｃの軸部４３ｃ１が貫通する穴である。案内穴４３ｄ１の内周面は、軸部４３ｃ１の外周面と摺動可能に形成されている。貫通穴４３ｄ２は、案内穴４３ｄ１から径方向外側にて案内部材４３ｄを上下方向に沿って貫通するように形成されている。貫通穴４３ｄ２は、案内部材４３ｄの周方向に沿って均等に複数（例えば３つ）配設されている。
【００３４】
スプリング４３ｅは、案内部材４３ｄと軸弁体４３ｃの鍔部４３ｃ２との間に配設され、軸弁体４３ｃを調整圧力Ｐａに抗して下方に付勢するものである。スプリング４３ｅは、例えばコイルばねである。また、スプリング４３ｅは、ばねの変位量と復元力とが比例する線形ばねである。スプリング４３ｅの変位量は、軸弁体４３ｃの移動量Ｍに相当する。よって、軸弁体４３ｃの移動量Ｍとスプリング４３ｅが軸弁体４３ｃを下方に付勢するスプリング荷重Ｆｓとの第一相関関係Ｃ１は、図７に示すように比例関係となる。軸弁体４３ｃの移動量Ｍは、軸弁体４３ｃの突起部４３ｃ３の下端と弁室４３ａの底面とが接触した位置を基準とした軸弁体４３ｃの上方への移動距離である。軸弁体４３ｃの移動量Ｍは、弁座４３ｂと軸弁体４３ｃとが接触しないように設定されている。
【００３５】
ビデノズルは、第四流路Ｌ４から供給される洗浄水Ｗを噴出させることにより人体局部を洗浄するものである。ビデノズルは、内部に洗浄水Ｗを流通させる第七流路（図示なし）を有する筒状に形成されている。ビデノズルは、第七流路を介して第四流路Ｌ４から洗浄水Ｗを導入し、導入した洗浄水Ｗを噴出穴（図示なし）から噴出する。
【００３６】
次に、上述した人体局部洗浄装置１が、おしりノズル２０ｋから洗浄水Ｗを噴出させて人体局部の洗浄（以下、おしり洗浄とする。）を行う場合の動作について説明する。説明を簡単にするために、おしり洗浄において、洗浄水Ｗの水勢が、比較的弱い水勢に設定された弱水勢、および、弱水勢より強い水勢に設定された強水勢の２段階のみ設定されている場合について説明する。洗浄水Ｗの水勢は、噴出穴４２から噴出される洗浄水Ｗの流速を調整することによって調整されている。具体的には、強水勢における洗浄水Ｗの流速は、弱水勢における流速より大きくなるように調整されている。
使用者によって、おしり洗浄を強水勢にて行うための操作部のスイッチ（図示なし）がオン操作されて、そのオン操作に応じた制御信号を制御装置２０ｎが受信した場合、制御装置２０ｎは、強水勢にておしり洗浄を開始する。
【００３７】
制御装置２０ｎは、止水電磁弁２０ｅを制御して、第一流路Ｌ１を開状態にする。これにより、水道配管２から洗浄水Ｗが第一流路Ｌ１に導入され、第一流路Ｌ１、温水タンク２０ｇ、第二流路Ｌ２を介して圧力調整切替バルブ３０に洗浄水Ｗが供給される。洗浄水Ｗが第一流路Ｌ１を流通する際に、洗浄水Ｗの供給圧力Ｐｓの圧力値が、定流量弁２０ｄおよびリリーフバルブ２０ｆによって第一供給圧力値Ｐｓ１に調整される。
【００３８】
また、制御装置２０ｎは、圧力調整切替バルブ３０の筒弁体３２を、おしり洗浄回動範囲内におけるおしり洗浄の強水勢に設定された位置である強水勢位置に回動させる。これにより、第二流路Ｌ２から圧力調整切替バルブ３０の第一ポート３１ａに供給された洗浄水Ｗは、筒弁体３２内部、第一連通穴３２ａおよび第二ポート３１ｂを介して第三流路Ｌ３に導出される。また、このとき、第一流路面積Ａａが強水勢の第一流路面積Ａａである第一強流路面積Ａａ１に調整され、第一流路抵抗Ｒａが、強水勢の第一流路抵抗Ｒａである第一強流路抵抗Ｒａ１に調整されている。これにより、洗浄水Ｗが第一連通穴３２ａを通過するときに、洗浄水Ｗの圧力値が、第一供給圧力値Ｐｓ１から強水勢の調整圧力Ｐａの圧力値である強調整圧力値Ｐａ１に調整される。このように、圧力調整切替バルブ３０は、給水路Ｌｓに配設され、給水路Ｌｓの流路抵抗である第一流路抵抗Ｒａを調整することにより、おしりノズル２０ｋに供給される洗浄水Ｗの圧力を調整する。
【００３９】
第三流路Ｌ３に導出された洗浄水Ｗは、第五流路Ｌ５からおしりノズル２０ｋに導入され、第六流路Ｌ６に導出される。第六流路Ｌ６に導出された洗浄水Ｗは、流路抵抗調整部４３の弁室４３ａ内に導入される。
【００４０】
弁室４３ａ内に導入された洗浄水Ｗは、図６に示すように、軸弁体４３ｃの鍔部４３ｃ２の下方に導出され、貫通穴４３ｃ５を介して、鍔部４３ｃ２の上方に導出される。このとき、弁室４３ａ内に導入された洗浄水Ｗの調整圧力Ｐａが、軸弁体４３ｃの鍔部４３ｃ２の下端面に作用する。これにより、軸弁体４３ｃを上方に移動させるように押し付ける押圧荷重Ｆｐが発生する。押圧荷重Ｆｐの大きさは、調整圧力Ｐａの圧力値と軸弁体４３ｃの圧力を受ける面積である受圧面積との積（押圧荷重Ｆｐ＝調整圧力Ｐａの圧力値×受圧面積）である。受圧面積は、本実施形態において、噴出穴４２の上端の面積である。軸弁体４３ｃは、強水勢の押圧荷重Ｆｐである強押圧荷重Ｆｐ１（＝強調整圧力値Ｐａ１×受圧面積）によって、上方に向けて移動する。
【００４１】
軸弁体４３ｃが上方に移動することにより、スプリング荷重Ｆｓが増加する。そして、軸弁体４３ｃの移動量Ｍが強水勢における移動量Ｍである強移動量Ｍ１となったとき、スプリング荷重Ｆｓと強押圧荷重Ｆｐ１とがつり合うことにより、軸弁体４３ｃが停止する。このときのスプリング荷重Ｆｓは、強水勢における強スプリング荷重Ｆｓ１である。すなわち、軸弁体４３ｃが停止した状態においては、スプリング荷重Ｆｓ（＝ばね定数×移動量Ｍ）と押圧荷重Ｆｐ（＝調整圧力Ｐａの圧力値×受圧面積）とが同じである。また、本実施形態においては、ばね定数および受圧面積が、軸弁体４３ｃの移動量Ｍにかかわらず一定であるため、移動量Ｍと調整圧力Ｐａとの第二相関関係Ｃ２は、図８に示すように、第一相関関係Ｃ１と同様に比例関係となる。
【００４２】
鍔部４３ｃ２の上方に導出された洗浄水Ｗは、図６に示すように、貫通穴４３ｄ２を介して、導入部４２ａに導入される。そして、洗浄水Ｗは、弁座４３ｂと軸弁体４３ｃとの間に形成され、洗浄水Ｗの流量を絞る流路である絞り流路Ｌｒに導入される。洗浄水Ｗが絞り流路Ｌｒを流通するときに、絞り流路Ｌｒの絞り量が調整されることにより、洗浄水Ｗの流量が調整される。
【００４３】
絞り流路Ｌｒの絞り量の調整は、絞り流路Ｌｒの流路面積である第二流路面積Ａｂが調整されて、絞り流路Ｌｒの流路抵抗である第二流路抵抗Ｒｂが調整されることにより行われる。第二流路面積Ａｂは、軸弁体４３ｃの移動量Ｍによって調整される。本実施形態において、軸弁体４３ｃの先端形状が曲面であり、弁座４３ｂがテーパ状に形成されているため、軸弁体４３ｃの移動量Ｍと第二流路面積Ａｂとの第三相関関係Ｃ３は、図９に示すように、移動量Ｍが増加するにしたがって第二流路面積Ａｂが減少し、かつ、下側を凸状とする曲線状の関係となる。軸弁体４３ｃの移動量Ｍが強移動量Ｍ１である場合、第二流路面積Ａｂは、強水勢の第二流路面積Ａｂである第二強流路面積Ａｂ１となるように調整されている。
【００４４】
また、第二流路面積Ａｂと第二流路抵抗Ｒｂとの第四相関関係Ｃ４は、図１０に示すように、第三相関関係Ｃ３と同様の曲線状の関係となっている。第二流路面積Ａｂが第二強流路面積Ａｂ１である場合、第二流路抵抗Ｒｂは、強水勢の第二流路抵抗Ｒｂである第二強流路抵抗Ｒｂ１に調整される。なお、上述した相関関係から、調整圧力Ｐａと第二流路抵抗Ｒｂとの第五相関関係Ｃ５は、図１１に示すように、調整圧力Ｐａが大きくなるにしたがって第二流路抵抗Ｒｂが小さくなり、かつ、下側を凸状とする曲線状の関係となる。さらに、調整圧力Ｐａと第一流路抵抗Ｒａとの相関関係においても、第四相関関係Ｃ４と同様の関係であるため、第一流路抵抗Ｒａと第二流路抵抗Ｒｂとの第六相関関係Ｃ６は、図１２に示すように、第一流路抵抗Ｒａが大きくなるにしたがって第二流路抵抗Ｒｂが小さくなり、かつ、下側を凸状とする曲線状となる。
【００４５】
絞り流路Ｌｒから導出した洗浄水Ｗは、整流部４２ｂを流通するときに整流され、噴出穴４２から噴出する。絞り流路Ｌｒの第二流路抵抗Ｒｂが第二強流路抵抗Ｒｂ１に調整されることにより、絞り流路Ｌｒから導出される洗浄水Ｗの流量が強水勢の流量である強流量に調整される。換言すれば、強水勢の洗浄水Ｗの流量を強流量とするように、上述した各相関関係が設定されている。強流量は、例えば０．５Ｌ／分に調整されている。
また、絞り流路Ｌｒから導出した洗浄水Ｗは、噴出穴４２から強水勢の流速である強流速にて噴出する。なお、強流速は、強流量を第二強流路面積Ａｂ１にて除算することにより算出される（強流速＝強流量／第二強流路面積Ａｂ１）。
【００４６】
次に、上述したように、強水勢にておしり洗浄が行われているときに、水勢が弱水勢に変更された場合における人体局部洗浄装置１の動作について、主として、強水勢の場合と異なる部分について説明する。おしり洗浄が強水勢にて行われているときに、おしり洗浄を弱水勢にて行うための操作部のスイッチ（図示なし）がオン操作されて、そのオン操作に応じた制御信号を制御装置２０ｎが受信した場合、制御装置２０ｎは、水勢を強水勢から弱水勢に変更する。
【００４７】
制御装置２０ｎは、圧力調整切替バルブ３０の筒弁体３２を、強水勢位置から、図３Ｂにおける反時計回りに回動させて、おしり洗浄回動範囲内におけるおしり洗浄の弱水勢に設定された位置である弱水勢位置に回動させる。これにより、第一流路面積Ａａが弱水勢の第一流路面積Ａａである第一弱流路面積Ａａ２に調整され、第一流路抵抗Ｒａが、弱水勢の第一流路抵抗Ｒａである第一弱流路抵抗Ｒａ２に調整される。第一弱流路面積Ａａ２が、第一強流路面積Ａａ１より小さく設定されているため、第一弱流路抵抗Ｒａ２は、第一強流路抵抗Ｒａ１より大きい。そして、洗浄水Ｗが第一連通穴３２ａを通過するときに、洗浄水Ｗの圧力値が、第一供給圧力値Ｐｓ１から弱水勢の調整圧力Ｐａの圧力値である弱調整圧力値Ｐａ２に調整される。第一弱流路抵抗Ｒａ２が、第一強流路抵抗Ｒａ１より大きいため、弱調整圧力値Ｐａ２は、強調整圧力値Ｐａ１より小さい。
【００４８】
また、調整圧力Ｐａの圧力値が、強調整圧力値Ｐａ１から弱調整圧力値Ｐａ２に調整されるため、押圧荷重Ｆｐ（＝調整圧力Ｐａの圧力値×受圧面積）が強押圧荷重Ｆｐ１から強押圧荷重Ｆｐ１より小さい弱押圧荷重Ｆｐ２に変化する。このとき、押圧荷重Ｆｐよりスプリング荷重Ｆｓが大きくなるため、軸弁体４３ｃが下方に移動する。そして、スプリング４３ｅの移動量Ｍが小さくなり、スプリング荷重Ｆｓが弱押圧荷重Ｆｐ２とつり合う弱水勢のスプリング荷重Ｆｓである弱スプリング荷重Ｆｓ２となったとき、軸弁体４３ｃが停止する。このときの移動量Ｍは、第一相関関係Ｃ１（図７参照）に示すように、弱水勢の移動量Ｍに相当する弱移動量Ｍ２である。弱移動量Ｍ２は、強移動量Ｍ１より小さい。
【００４９】
さらに、軸弁体４３ｃが移動することで、第三相関関係Ｃ３（図９参照）に示すように、弱水勢の第二流路面積Ａｂである第二弱流路面積Ａｂ２は、第二強流路面積Ａｂ１より大きくなり、さらに、第四相関関係Ｃ４（図１０参照）に示すように、弱水勢の第二流路抵抗Ｒｂである第二弱流路抵抗Ｒｂ２は、第二強流路抵抗Ｒｂ１より小さくなる。このように、流路抵抗調整部４３は、圧力調整切替バルブ３０によって調整された洗浄水Ｗの圧力である調整圧力Ｐａに応じて噴出穴４２の開口面積を変化させることにより第二流路抵抗Ｒｂを調整する。また、第二流路抵抗Ｒｂは、調整圧力Ｐａに応じて軸弁体４３ｃが移動して、噴出穴４２の開口面積に相当する絞り流路Ｌｒの流路面積である第二流路面積Ａｂを変化させることにより調整される。
【００５０】
水勢が強水勢から弱水勢に変更された場合、調整圧力Ｐａが低下するとともに、第二流路面積Ａｂが増加している。絞り流路Ｌｒから導出されて噴出穴４２から噴出する洗浄水Ｗの弱水勢の流速である弱流速は、洗浄水Ｗの弱流量を第二弱流路面積Ａｂ２で除算することにより導出される（弱流速＝弱流量／第二弱流路面積Ａｂ２）。例えば、従来技術のように噴出穴４２の開口面積が固定されている場合においては、水勢が強水勢から弱水勢に変更された場合においても、第二流路面積Ａｂが第二強流路面積Ａｂ１のままである。よって、第二流路面積Ａｂを増加させたときの弱流速と、従来技術のように第二流路面積Ａｂを固定させたときの弱流速とを同じ弱流速にする場合においては、第二流路面積Ａｂを増加させたときの弱流量は、第二流路面積Ａｂを固定させたときの弱流量より多くなる。よって、水勢が強水勢から弱水勢に変更されたときに第二流路面積Ａｂが増加する場合、弱流量を、従来技術のように噴出穴４２の開口面積が固定されている場合に比べて、増加させるように設定することができる。
【００５１】
さらに、本実施形態においては、弱水勢の流量である弱流量は、強流量とおよそ同一となるように設定されている。具体的には、弱水勢における各流路抵抗の和、および、強水勢における各流路抵抗の和が所定流路抵抗にて同一となるように設定されている。ここで、洗浄水Ｗの圧力損失は、下記数式（１）に示すように、流量と流路抵抗との積によって表される。数式（１）に強水勢における圧力調整切替バルブ３０の第一連通穴３２ａにおける圧力損失の関係を代入した場合、下記数式（２）のように表される。また、数式（１）に強水勢における流路抵抗調整部４３の絞り流路Ｌｒにおける圧力損失の関係を代入した場合、下記数式（３）のように表される。そして、数式（２）および数式（３）から下記数式（４）が導出される。また、弱水勢の場合においても、強水勢の場合と同様にして、下記数式（５）が導出される。そして、強流量と弱流量とを同一とした場合、数式（４）および数式（５）から数式（６）が導出される。数式（６）は、強流量と弱流量とを同一とした場合、第一流路抵抗Ｒａと第二流路抵抗Ｒｂとの和が、水勢が異なる場合においても同一となることを示している。すなわち、強流量と弱流量とを同一とした場合、流路抵抗調整部４３は、第一流路抵抗Ｒａと第二流路抵抗Ｒｂとの和を一定値とするように第二流路抵抗Ｒｂを調整する。具体的には、流路抵抗調整部４３は、第一流路抵抗Ｒａと第二流路抵抗Ｒｂとの和を所定流路抵抗に調整する。所定流路抵抗は、強流量および弱流量を所望の流量とするように設定された流路抵抗である。さらに、各水勢における各流路抵抗の和が同一となるように、上述した各相関関係Ｃ１〜Ｃ６が設定されている。各相関関係Ｃ１〜Ｃ６は、実験等により実測されて導出されている。
【００５２】
（数１）
圧力損失＝流量×流路抵抗
（数２）
第一供給圧力値Ｐｓ１−強調整圧力値Ｐａ１＝強流量×第一強流路抵抗Ｒａ１
（数３）
強調整圧力値Ｐａ１−大気圧＝強流量×第二強流路抵抗Ｒｂ１
（数４）
第一供給圧力値Ｐｓ１―大気圧
＝強流量×（第一強流路抵抗Ｒａ１＋第二強流路抵抗Ｒｂ１）
（数５）
第一供給圧力値Ｐｓ１―大気圧
＝弱流量×（第一弱流路抵抗Ｒａ２＋第二弱流路抵抗Ｒｂ２）
（数６）
第一強流路抵抗Ｒａ１＋第二強流路抵抗Ｒｂ１
＝第一弱流路抵抗Ｒａ２＋第二弱流路抵抗Ｒｂ２
【００５３】
また、水勢が強水勢から弱水勢に変更された場合において、上述したように、強流量と弱流量とがおよそ同一であり、かつ、第二弱流路面積Ａｂ２が第二強流路面積Ａｂ１より増加しているため、弱流速（＝弱流量／第二弱流路面積Ａｂ２）は、強流速（＝強流量／第二強流路面積Ａｂ１）より小さくなる。
【００５４】
使用者によって操作部における人体局部の洗浄を停止するためのスイッチ（図示なし）が操作され、その操作に応じた制御信号を制御装置２０ｎが受信した場合、制御装置２０ｎは、止水電磁弁２０ｅによって第二流路Ｌ２を閉状態にし、モータ３５によって、筒弁体３２を弱水勢位置から図３Ａに示す原点位置ＨＰに戻す。これにより、洗浄水Ｗの噴出が停止する。
【００５５】
本実施形態によれば、人体局部洗浄装置１は、水道配管２から供給される洗浄水Ｗを噴出穴４２から噴出させることにより人体局部を洗浄するおしりノズル２０ｋと、水道配管２およびおしりノズル２０ｋに接続され、洗浄水Ｗをおしりノズル２０ｋに供給する流路である給水路Ｌｓと、給水路Ｌｓに配設され、給水路Ｌｓの流路抵抗である第一流路抵抗Ｒａを調整することにより、おしりノズル２０ｋに供給される洗浄水Ｗの圧力を調整する圧力調整切替バルブ３０と、圧力調整切替バルブ３０を少なくとも制御する制御装置２０ｎと、を備えている。おしりノズル２０ｋは、圧力調整切替バルブ３０によって調整された洗浄水Ｗの圧力である調整圧力Ｐａに応じて噴出穴４２の開口面積を変化させることにより、噴出穴４２の流路抵抗である第二流路抵抗Ｒｂを調整する流路抵抗調整部４３を備え、流路抵抗調整部４３は、第一流路抵抗Ｒａが大きくなるにしたがって、第二流路抵抗Ｒｂを小さくするように調整する。
これによれば、おしりノズル２０ｋから噴出される洗浄水Ｗの水勢を弱くする際に、おしりノズル２０ｋに供給される洗浄水Ｗの圧力を低くするように、圧力調整切替バルブ３０によって第一流路抵抗Ｒａが大きくなるように調整された場合、流路抵抗調整部４３は、第二流路抵抗Ｒｂを小さくするように調整する。この場合、噴出穴４２の開口面積が、大きくなるように調整される。このとき、従来技術のように、噴出穴４２の開口面積が固定されている場合と比べて、洗浄水Ｗの流量の減少を抑制しながら、洗浄水Ｗの流速を小さくすることができる。よって、洗浄水Ｗの水勢が弱い（流速が小さい）場合においても、使用者の洗浄感を向上させることができる。
【００５６】
また、流路抵抗調整部４３は、第一流路抵抗Ｒａと第二流路抵抗Ｒｂとの和を所定流路抵抗にするように第二流路抵抗Ｒｂを調整する。
これによれば、洗浄水Ｗの水勢が異なる場合においても、噴出穴４２から噴出される洗浄水Ｗの流量をおよそ一定値にすることができる。よって、洗浄水Ｗの水勢が弱い場合においても、水勢が強い場合とおよそ同じ流量にて洗浄水Ｗが噴出されるため、使用者の洗浄感をさらに向上させることができる。
【００５７】
また、流路抵抗調整部４３は、第二流路Ｌ２から洗浄水Ｗが供給されるとともに、噴出穴４２と接続する弁室４３ａと、弁室４３ａ内に、調整圧力Ｐａに応じて移動可能に配設された軸弁体４３ｃと、軸弁体４３ｃを、調整圧力Ｐａに抗して付勢するスプリング４３ｅと、を備え、第二流路抵抗Ｒｂは、調整圧力Ｐａに応じて軸弁体４３ｃが移動して、噴出穴４２の開口面積を変化させることにより調整される。
これによれば、流路抵抗調整部４３を、モータ等の動力源を用いることなく、比較的簡便に構成することができるとともに、流路抵抗調整部４３の部品点数を比較的少なくすることができる。よって、流路抵抗調整部４３ひいては、人体局部洗浄装置１の低コスト化を図ることができる。
【００５８】
また、流路抵抗調整部４３は、噴出穴４２における洗浄水Ｗを導入する導入部４２ａに形成された弁座４３ｂと、弁座４３ｂと軸弁体４３ｃとの間にて洗浄水Ｗの流量を絞る絞り流路Ｌｒと、をさらに備え、軸弁体４３ｃは、調整圧力Ｐａに応じて弁座４３ｂに向けて移動可能に配設され、第二流路抵抗Ｒｂは、調整圧力Ｐａに応じて軸弁体４３ｃが移動して、噴出穴４２の開口面積に相当する絞り流路Ｌｒの流路面積を変化させることにより調整される。
これによれば、噴出穴４２に弁座４３ｂを形成し、軸弁体４３ｃを弁座４３ｂに向けて移動可能に配設して、流路抵抗調整部４３をおしりノズル２０ｋの先端部４０内に形成することで、流路抵抗調整部４３の小型化を図ることができる。さらに、これにより、人体局部洗浄装置１内部の省スペース化ひいては人体局部洗浄装置１の小型化を図ることができる。
【００５９】
また、軸弁体４３ｃは、弁座４３ｂと接触した場合に、噴出穴４２と弁室４３ａ内とを連通させて、噴出穴４２を介して洗浄水Ｗを噴出させる弁連通穴４３ｃ４を有している。
これによれば、例えば圧力調整切替バルブ３０が故障して調整圧力Ｐａの圧力値が強調整圧力値Ｐａ１より大きくなることで、軸弁体４３ｃと弁座４３ｂが接触する場合においても、洗浄水Ｗを噴出穴４２から噴出させることができる。よって、このような故障が発生した場合においても、おしり洗浄を行うことができる。また、この場合、軸弁体４３ｃに弁連通穴４３ｃ４が形成されていない場合と比べて、調整圧力Ｐａが低下するため、押圧荷重Ｆｐを抑制することができる。よって、軸弁体４３ｃの弁座４３ｂへの食い付きを抑制することができる。
【００６０】
次に、上述した人体局部洗浄装置１の第一変形例について、主として上述した実施形態と異なる部分について説明する。上述した実施形態におけるスプリング４３ｅは、線形ばねであるが、本変形例におけるスプリング１４３ｅは、ばね特性が線形でない非線形ばねである。具体的には、スプリング１４３ｅは、図１３に示すように、移動量Ｍ（スプリング４３ｅの変位量）が増加した場合に、ばね定数が大きくなる非線形のばね特性を有する。スプリング１４３ｅは、例えば、円錐コイルばねである。
【００６１】
本変形例のスプリング１４３ｅを用いた場合における第一流路抵抗Ｒａと第二流路抵抗Ｒｂとの第八相関関係Ｃ８は、図１４に示すように、上述した実施形態における第六相関関係Ｃ６と比べて、曲率を小さくする曲線状になる。換言すれば、第一流路抵抗Ｒａと第二流路抵抗Ｒｂとの関係が、第八相関関係Ｃ８となるように、ばね定数を調整する。この場合、例えば第二流路抵抗Ｒｂを図１４に示す第二強流路抵抗Ｒｂ１および第二弱流路抵抗Ｒｂ２に設定した場合、この第二流路抵抗Ｒｂに相当する第八相関関係Ｃ８の第一流路抵抗Ｒａである第一強流路抵抗Ｒａ１１と第一弱流路抵抗Ｒａ１２の第八差Ｄ８は、この第二流路抵抗Ｒｂに相当する第六相関関係Ｃ６の第一流路抵抗Ｒａである第一強流路抵抗Ｒａ１と第一弱流路抵抗Ｒａ２の第六差Ｄ６より大きい。これにより、例えば筒弁体３２の回動角度や軸弁体４３ｃの移動量Ｍ等を設定する場合における設定値の調整可能な調整幅（例えば寸法公差）を広げることができるため、設計値の設定を比較的簡便にすることができる。
【００６２】
次に、上述した人体局部洗浄装置１の第二変形例について、主として上述した実施形態と異なる部分について、図１５を用いて説明する。上述した実施形態の流路抵抗調整部４３は、軸弁体４３ｃが上下方向に沿って移動する方式であるが、本変形例の流路抵抗調整部２４３においては、軸弁体２４３ｃが左右方向（図中に矢印にて示す）に移動する方式である。本変形例の流路抵抗調整部２４３は、おしりノズル２０ｋの先端部２４０に形成され、弁室２４３ａ、軸弁体２４３ｃおよびスプリング２４３ｅを備えている。
【００６３】
弁室２４３ａは、左右方向に延びる円筒状に形成されている。左端にて第六流路Ｌ６に接続し、側面にて噴出穴２４２と接続する。噴出穴２４２は、断面円状に形成されている。
軸弁体２４３ｃは、弁室２４３ａ内を左右方向に移動可能に形成されている。軸弁体２４３ｃは、第一大径部２４３ｃ１、第二大径部２４３ｃ２、小径部２４３ｃ３、連通穴２４３ｃ４および流路抵抗調整溝２４３ｃ５を備えている。各大径部２４３ｃ１，２４３ｃ２は、円柱状に形成され、各大径部２４３ｃ１，２４３ｃ２の外周面は、弁室２４３ａの内周面と液密に摺動可能に形成されている。小径部２４３ｃ３は、各大径部２４３ｃ１，２４３ｃ２より外径を小さくする円柱状に形成され、各大径部２４３ｃ１，２４３ｃ２を連結するものである。連通穴２４３ｃ４は、第一大径部２４３ｃ１の左右両端に開口して、弁室２４３ａの左端側の第一空間Ｓ１と小径部２４３ｃ３が位置する第二空間Ｓ２とを連通する貫通穴である。流路抵抗調整溝２４３ｃ５は、第一大径部２４３ｃ１の側面に形成され、第二空間Ｓ２と噴出穴２４２とを連通する溝である。流路抵抗調整溝２４３ｃ５は、左方から右方に向かうにしたがって溝深さが深くなるように形成されている。
【００６４】
軸弁体２４３ｃが左右方向に移動することにより、流路抵抗調整溝２４３ｃ５が噴出穴２４２に対して開口することにより形成される絞り流路Ｌｒ２の流路面積が変化することにより、絞り流路Ｌｒ２の流路抵抗が変化する。スプリング２４３ｅは、弁室２４３ａの右端面と軸弁体２４３ｃの第二大径部２４３ｃ２との間に配設されている。スプリング２４３ｅは、軸弁体２４３ｃを左方向に向かって付勢する。
【００６５】
第六流路Ｌ６から強水勢にて洗浄水Ｗが弁室２４３ａ内に導入された場合、洗浄水Ｗは、第一空間Ｓ１、連通穴２４３ｃ４、第二空間Ｓ２を介して流路抵抗調整溝２４３ｃ５に導入される。このとき、洗浄水Ｗの強調整圧力値Ｐａ１により生じる押圧荷重Ｆｐである強押圧荷重Ｆｐ１によって、軸弁体２４３ｃがスプリング荷重Ｆｓに抗して右方向に移動する。そして、強押圧荷重Ｆｐ１とスプリング荷重Ｆｓが釣り合う位置にて停止する。このとき、絞り流路Ｌｒ２の流路面積が強調整圧力値Ｐａ１に応じた面積に調整される。例えばこの強水勢にて洗浄水Ｗが導入されている状態から、弱水勢に設定された場合、調整圧力Ｐａは、圧力調整切替バルブ３０によって、強調整圧力値Ｐａ１より低い弱調整圧力値Ｐａ２になることにより、押圧荷重Ｆｐが減少するため、スプリング荷重Ｆｓによって軸弁体２４３ｃが左方に向かって移動する。これにより、絞り流路Ｌｒ２の流路面積が大きくなるため、絞り流路Ｌｒ２の流路抵抗が小さくなる。よって、流路抵抗調整部２４３は、第一流路抵抗Ｒａが大きくなるにしたがって、絞り流路Ｌｒ２の流路抵抗を小さくするように調整する。
【００６６】
なお、上述した実施形態において、人体局部洗浄装置１の一例を示したが、本発明はこれに限定されず、他の構成を採用することもできる。例えば、上述した実施形態において、軸弁体４３ｃは、弁連通穴４３ｃ４を有しているが、これに代えて、弁連通穴４３ｃ４を有さないようにしても良い。同様に、連通穴４３ｃ５を有さないようにしても良い。さらに、案内部材４３ｄを有さないようにしても良い。この場合、案内穴４３ｄ１に相当する形状を弁室４３ａに形成する。
また、上述した実施形態において、ビデノズルは、流路抵抗調整部４３を備えていないが、これに代えて、ビデノズルにも流路抵抗調整部４３を備えるようにしても良い。この場合、ビデノズルは、本発明の局部洗浄ノズルに相当する。
また、上述した実施形態において、弁座４３ｂの形状は、上下方向に沿って下端から上端に向かって徐々に内径を小さくするテーパ状に形成されているが、これに代えて、弁座４３ｂの形状を、上下方向に沿って下端から上端に向かって内径を大きくする勾配を有するように形成された曲面状にしても良い。
【００６７】
また、上述した実施形態において、スプリング４３ｅは、１つのコイルばねによって形成されているが、これに代えて、複数のコイルばねによって形成するようにしても良い。さらにこの場合、それぞれのコイルばねの特性を異なるようにしても良い。具体的には、上述した第一変形例のように、移動量Ｍ（スプリング４３ｅの変位量）が増加した場合に、ばね定数が大きくなるようにしても良い。
また、上述した実施形態において、強流量と弱流量とをおよそ同一とするようにしているが、これに代えて、弱流量を強流量より少なくするようにしても良い。
また、本発明の要旨を逸脱しない範囲において、スプリング４３ｅのばね特性、軸弁体４３ｃの形状、軸弁体４３ｃの移動方向、おしりノズル２０ｋに対して洗浄水Ｗが噴出する角度や、流路抵抗調整部４３の位置等を変更しても良い。
【符号の説明】
【００６８】
１…人体局部洗浄装置、２…水道配管（水源）、２０ｊ（３０）…圧力調整切替バルブ（第一流路抵抗調整部）、２０ｋ…おしりノズル（局部洗浄ノズル）、４２…噴出穴、４２ａ…導入部、４２ｂ…整流部、４３…流路抵抗調整部、４３ａ…弁室、４３ｂ…弁座、４３ｃ…軸弁体、４３ｅ…スプリング、Ａａ…第一流路面積、Ａｂ…第二流路面積、Ｆｐ…押圧荷重、Ｆｓ…スプリング荷重、Ｌｒ…絞り流路、Ｌｓ…給水路、Ｍ…移動量、Ｐａ…調整圧力、Ｐｓ…供給圧力、Ｒａ…第一流路抵抗、Ｒｂ…第二流路抵抗、Ｗ…洗浄水。
【図１】
2016176195.tif 000003
【図２】
2016176195.tif 000004
【図３Ａ】
2016176195.tif 000005
【図３Ｂ】
2016176195.tif 000006
【図４】
2016176195.tif 000007
【図５】
2016176195.tif 000008
【図６】
2016176195.tif 000009
【図７】
2016176195.tif 000010
【図８】
2016176195.tif 000011
【図９】
2016176195.tif 000012
【図１０】
2016176195.tif 000013
【図１１】
2016176195.tif 000014
【図１２】
2016176195.tif 000015
【図１３】
2016176195.tif 000016
【図１４】
2016176195.tif 000017
【図１５】
2016176195.tif 000018